(57)【要約】【課題】プリンタの排紙トレイにおいて、伸長トレイが引出トレイの表面の段差に接触することを防止できる。【解決手段】排紙トレイ７は、排紙口の前方に引出し及び収納自在に支持される引出トレイ２０と、引出トレイ２０に支持され、引出トレイ２０の前方に引出し及び収納自在でトレイを伸長するための伸長トレイ３０とを有する。引出トレイ２０は、伸長トレイ３０を支持するスライド支持部２１ａ〜２１ｃと、スライド支持部２１ａ〜２１ｃを金型を用いて成形することにより生じる段差２０ｂよりも突出する、伸張トレイ３０が段差２０ｂに接触することを防止する凸部２３ａ、２３ｂとを有する。伸張トレイ３０は、引出トレイ２０の下面２０ａとスライド支持部２１ａ〜２１ｃとの間に挿入されて、スライド支持部２１ａ〜２１ｃと凸部２３ａ、２３ｂとの間でスライド自在に支持される。【選択図】図２
2006182542.tif 000002
【特許請求の範囲】
【請求項１】
画像記録後の用紙を排出する排紙口が形成された外装ケースに装着自在であって、前記排紙口の前方に引出し及び収納自在に支持され排紙口から排出される用紙を受け止める引出トレイと、前記引出トレイに支持され該引出トレイの前方に引出し及び収納自在でトレイを伸長するための伸長トレイとを有するプリンタの排紙トレイにおいて、
前記引出トレイは、
該引出トレイの下側にて該引出トレイの下面と略平行に伸びる、該引出トレイの下面との間に前記伸張トレイの側端が挿入されて、該引出トレイの下側にて前記伸長トレイをスライド自在に支持するスライド支持部と、
前記スライド支持部を金型を用いて成形することにより該引出トレイの下面に生じる段差よりも突出する、前記伸長トレイが前記段差に接触することを防止する凸部とを有し、
前記凸部は、前記段差のない箇所で前記伸張トレイがスライドする範囲に亘って、前記伸長トレイがスライドするときに該伸長トレイの側端に対向する箇所に、前記伸長トレイのスライド方向に柱状に細長く伸びて形成されていることを特徴とするプリンタの排紙トレイ。
【請求項２】
画像記録後の用紙を排出する排紙口が形成された外装ケースに装着自在であって、前記排紙口の前方に引出し及び収納自在に支持され排紙口から排出される用紙を受け止める引出トレイと、前記引出トレイに支持され該引出トレイの前方に引出し及び収納自在でトレイを伸長するための伸長トレイとを有するプリンタの排紙トレイにおいて、
前記引出トレイは、
該引出トレイの表面との間で前記伸長トレイをスライド自在に支持するスライド支持部と、
前記スライド支持部を金型を用いて成形することにより該引出トレイの表面に生じる段差よりも突出する、前記伸長トレイが前記段差に接触することを防止する凸部とを有することを特徴とするプリンタの排紙トレイ。
【請求項３】
前記凸部は、前記伸長トレイのスライド方向に柱状に細長く伸びて形成されている請求項２に記載のプリンタの排紙トレイ。
【発明の詳細な説明】
【技術分野】
【０００１】
本発明は、プリンタの排紙口から排出される画像記録後の用紙を受け止めるプリンタの排紙トレイに関するものである。
【背景技術】
【０００２】
従来から、用紙に画像を記録するプリンタにおいて、画像記録後の用紙を外装ケースの排紙口から排出して、その画像記録後の用紙を排紙トレイにて受け止めるものがある。このようなプリンタの排紙トレイは、プリンタの外装ケースに装着自在となっており、排紙口の前方に引出し及び収納自在に支持される引出トレイと、この引出トレイの前方に引出し及び収納自在で排紙トレイを伸張するための伸張トレイとを備えている。引出トレイは、伸長トレイをスライド自在に支持するためのスライド支持部を引出トレイの表面に対向する位置に有しており、伸張トレイは、引出トレイの表面とスライド支持部との間にスライド自在に挿入されて、引出トレイの前方に引出し及び収納自在に支持される。
【０００３】
このような引出トレイ及び伸張トレイは、上下方向に抜く金型とスライダと呼ばれる左右方向に抜く金型を用いて、樹脂成形により製造される。引出トレイのスライド支持部は、引出トレイの表面に対向する位置に設ける必要があるため、左右方向に抜くスライド支持部成形用の金型を用いて成形される。
【０００４】
また、排紙トレイを引出トレイと伸張トレイで構成し、引出トレイが収納位置又は引出し途中の位置にあるときには、伸張トレイの引出しをロック手段により阻止して、伸張トレイのみが引出されることを防止するようにしたプリンタの排紙トレイが知られている（例えば、特許文献１参照）。また、排紙トレイをハウジングの裏面側に収納自在に装着すると共に、記録用紙の放送方向に交差して上方に湾曲した形状に形成することにより、簡単な構成のうえに、少ない部品点数でハウジングに装着できるようにしたプリンタの排紙トレイが知られている（例えば、特許文献２参照）。また、排紙トレイを引出トレイと伸張トレイで構成し、排紙トレイをケースの底部に設けられたトレイ格納部に引出し収納可能に格納するようにしたプリンタの排紙トレイが知られている（例えば、特許文献３参照）。
【特許文献１】特開平９−３２３８５６号公報
【特許文献２】特開２００２−３５６２６３号公報
【特許文献３】特開２００４−３５２４８号公報
【発明の開示】
【発明が解決しようとする課題】
【０００５】
ところが、上述した従来のプリンタの排紙トレイにおいては、引出トレイを樹脂成形するときに、左右方向に抜くスライド支持部成形用の金型の表面と上下方向に抜く引出トレイ成形用の他の金型の表面とが僅かではあるが段差になってしまい、その結果、樹脂成形された引出トレイは、僅かではあるが表面に段差を生じたものとなってしまう。このため、伸張トレイを引出トレイに対して引出し及び収納するときに、伸張トレイが引出トレイの表面の段差に接触して樹脂の粉が発生し、その樹脂の粉によってデザイン性が悪くなるという問題があった。また、伸張トレイが引出トレイの表面の段差に接触することが伸張トレイの移動抵抗となって、伸張トレイを引出トレイに対して引出し及び収納し難いという問題があった。なお、上述した特許文献１乃至特許文献３に開示の内容を適用したとしても、上記の課題を解決することはできない。
【０００６】
本発明は、上記課題を解決するためになされたものであり、伸長トレイが引出トレイの表面の段差に接触しないようにし、伸張トレイが引出トレイの段差に接触することによる粉の発生を防止できると共に、伸張トレイが引出トレイの段差に接触することによる抵抗をなくすことができるプリンタの排紙トレイを提供することを目的とする。
【課題を解決するための手段】
【０００７】
上記目的を達成するために請求項１の発明は、画像記録後の用紙を排出する排紙口が形成された外装ケースに装着自在であって、排紙口の前方に引出し及び収納自在に支持され排紙口から排出される用紙を受け止める引出トレイと、引出トレイに支持され該引出トレイの前方に引出し及び収納自在でトレイを伸長するための伸長トレイとを有するプリンタの排紙トレイにおいて、引出トレイは、該引出トレイの下側にて該引出トレイの下面と略平行に伸びる、該引出トレイの下面との間に伸張トレイの側端が挿入されて、該引出トレイの下側にて伸長トレイをスライド自在に支持するスライド支持部と、スライド支持部を金型を用いて成形することにより該引出トレイの下面に生じる段差よりも突出する、伸長トレイが段差に接触することを防止する凸部とを有し、凸部は、段差のない箇所で伸張トレイがスライドする範囲に亘って、伸長トレイがスライドするときに該伸長トレイの側端に対向する箇所に、伸長トレイのスライド方向に柱状に細長く伸びて形成されているものである。
【０００８】
請求項２の発明は、画像記録後の用紙を排出する排紙口が形成された外装ケースに装着自在であって、排紙口の前方に引出し及び収納自在に支持され排紙口から排出される用紙を受け止める引出トレイと、引出トレイに支持され該引出トレイの前方に引出し及び収納自在でトレイを伸長するための伸長トレイとを有するプリンタの排紙トレイにおいて、引出トレイは、該引出トレイの表面との間で伸長トレイをスライド自在に支持するスライド支持部と、スライド支持部を金型を用いて成形することにより該引出トレイの表面に生じる段差よりも突出する、伸長トレイが段差に接触することを防止する凸部とを有するものである。
【０００９】
請求項３の発明は、請求項２に記載のプリンタの排紙トレイにおいて、凸部は、伸長トレイのスライド方向に柱状に細長く伸びて形成されているものである。
【発明の効果】
【００１０】
請求項１の発明によれば、引出トレイが段差よりも突出する凸部を有しているため、伸張トレイは、引出トレイの段差を避けて、引出トレイの凸部とスライド支持部との間をスライドすることになる。従って、伸張トレイは、引出トレイに対して引出し及び収納するときに、引出トレイの段差に接触することがない。これにより、伸張トレイが引出トレイの段差に接触することによる樹脂の粉の発生を防止でき、デザイン性を向上できると共に、伸張トレイが引出トレイの段差に接触することによる伸張トレイの移動抵抗をなくすことができ、伸張トレイをスムーズに引出し及び収納することができる。しかも、引出トレイの凸部が伸長トレイのスライド方向に柱状に細長く伸びているため、伸張トレイと引出トレイの凸部との摩擦を少なくして伸張トレイの移動抵抗を少なくすることができ、伸張トレイをより一層スムーズに引出し及び収納することができる。
【００１１】
請求項２の発明によれば、引出トレイが段差よりも突出する凸部を有しているため、伸張トレイは、引出トレイの段差を避けて、引出トレイの凸部とスライド支持部との間をスライドすることになる。従って、伸張トレイは、引出トレイに対して引出し及び収納するときに、引出トレイの段差に接触することがない。これにより、伸張トレイが引出トレイの段差に接触することによる樹脂の粉の発生を防止でき、デザイン性を向上できると共に、伸張トレイが引出トレイの段差に接触することによる伸張トレイの移動抵抗をなくすことができ、伸張トレイをスムーズに引出し及び収納することができる。
【００１２】
請求項３の発明によれば、引出トレイの凸部が伸長トレイのスライド方向に柱状に細長く伸びているため、伸張トレイと引出トレイの凸部との摩擦を少なくして伸張トレイの移動抵抗を少なくすることができ、伸張トレイをより一層スムーズに引出し及び収納することができる。
【発明を実施するための最良の形態】
【００１３】
以下、本発明を具体化した実施形態によるプリンタの排紙トレイについて図面を参照して説明する。図１（ａ）（ｂ）（ｃ）は、プリンタの構成を示す。プリンタ１は、例えばデジタルカメラやパソコン等から入力される画像データを基に用紙２に画像を記録するものである。
【００１４】
プリンタ１は、用紙２が載置されるペーパレスト３と、用紙２を搬送する給紙ローラ４及びフィードローラ５と、用紙２に画像を記録する記録ヘッド６と、画像記録後の用紙２を受け止める排紙トレイ７と、給紙ローラ４、フィードローラ５、及び記録ヘッド６を内蔵する外装ケース８とを備える。外装ケース８には、用紙２を供給するための給紙口１１と、用紙２を排出するための排紙口１２が設けられている。
【００１５】
用紙２は、Ａ４サイズやレターサイズ等の任意のサイズのものが用いられ、１枚又は複数枚のものが重ねて、その下端側が外装ケース８の給紙口１１に挿入されて、ペーパレスト３に載置される。給紙ローラ４は、ペーパレスト３に載置されている用紙２をフィードローラ５へと搬送する。フィードローラ５は、給紙ローラ４から搬送される用紙２を、記録ヘッド６の下方を通して、外装ケース８の排紙口１２へと搬送する。記録ヘッド６は、フィードローラ５により搬送される用紙２に画像を記録する。
【００１６】
排紙トレイ７は、排紙口１２から排出される画像記録後の用紙２を受け止めるものであり、排紙口１２の前方（図示Ｙ方向）に引出し及び収納自在な引出トレイ２０と、引出トレイ２０の前方（図示Ｙ方向）に引出し及び収納自在で排紙トレイ７を伸張するための伸張トレイ３０とを備えている。引出トレイ２０は、外装ケース８にスライド自在に支持されており、伸張トレイ３０は、引出トレイ２０の下面側（図示Ｚ方向と反対側）にて、引出トレイ２０にスライド自在に支持されている。排紙トレイ７は、外装ケース８に装着自在になっている。排紙トレイ７の詳細については後述する。
【００１７】
このような構成のプリンタ１は、ペーパレスト３に載置された用紙２を給紙ローラ４及びフィードローラ５により搬送し、記録ヘッド６により用紙２に画像を記録した後、画像記録後の用紙２を外装ケース８の排紙口１２から排出する。このとき、引出トレイ２０及び伸長トレイ３０を引出しておくことにより、排紙口１２から排出される用紙２は、排紙トレイ７にて受け止められる。
【００１８】
図２（ａ）（ｂ）は、上記排紙トレイ７の構成を示す。排紙トレイ７は、上述のように、引出トレイ２０と、伸長トレイ３０とを備える。引出トレイ２０は、伸長トレイ３０をスライド自在に支持するスライド支持部２１ａ、２１ｂ、２１ｃと、伸張トレイ３０の抜けを防止する係止部２２と、伸長トレイ３０が引出トレイ２０の下面２０ａの段差２０ｂに接触することを防止する凸部２３ａ、２３ｂとを有する。伸張トレイ３０は、引出トレイ２０からの抜けを防止するストッパ３１を有する。
【００１９】
引出トレイ２０のスライド支持部２１ａ、２１ｂ、２１ｃは、引出トレイ２０の下面２０ａ側にて、引出トレイ２０の下面２０ａと略平行に伸びている。伸張トレイ３０は、側端部分が引出トレイ２０の下面２０ａとスライド支持部２１ａ、２１ｂ、２１ｃとの間にスライド自在に挿入されて、引出トレイ２０の下面２０ａ側にて、引出トレイ２０の前方に引出し及び収納自在に支持される。また、伸張トレイ３０は、引出トレイ２０から引出したときに、ストッパ３１が引出トレイ２０の係止部２２に係止されることにより、引出トレイ２０からの抜けが防止される。伸張トレイ３０は、引出トレイ２０に最も奥まで差し込んだ位置からストッパ３１が引出トレイ２０の係止部２２に係止される位置までスライド可能になっている。
【００２０】
段差２０ｂは、スライド支持部２１ａ、２１ｂ、２１ｃを金型を用いて成形することにより生じるものである。引出トレイ２０は、上下方向に抜く金型とスライダと呼ばれる左右方向に抜く金型を用いて、樹脂成形により製造される。引出トレイ２０のスライド支持部２１ａ、２１ｂ、２１ｃは、引出トレイ２０の下面２０ａと略平行に伸びているため、左右方向に抜くスライド支持部成形用の金型を用いて成形される。段差２０ｂは、引出トレイ２０を樹脂成形するときに、左右方向に抜くスライド支持部成形用の金型の表面と上下方向に抜く引出トレイ成形用の他の金型の表面とが僅かではあるが段差になってしまうことにより、引出トレイ２０の下面２０ａに生じるものである。
【００２１】
凸部２３ａ、２３ｂは、伸長トレイ３０がスライドするときに伸長トレイ３０の側端に対向する箇所に形成されており、引出トレイ２０の下面２０ａから段差２０ｂよりも突出している。従って、伸張トレイ３０は、引出トレイ２０の段差２０ｂを避けて、引出トレイ２０の凸部２３ａ、２３ｂとスライド支持部２１ａ、２１ｂ、２１ｃとの間をスライドすることになる。また、凸部２３ａ、２３ｂは、段差２０ｂのない箇所で、伸張トレイ３０がスライドする範囲に亘って形成されており、伸長トレイ３０のスライド方向に柱状に細長く伸びている。凸部２３ａ、２３ｂは、引出トレイ成形用の上下方向に抜く金型に凸部形成用の溝を設けておくことにより、引出トレイ２０を樹脂成形するときに同時に形成される。
【００２２】
図３（ａ）（ｂ）（ｃ）（ｄ）は、上記排紙トレイ７の動作を示す。まず、図３（ａ）に示すように、伸張トレイ３０を引出トレイ２０に最も奥まで差し込んだ状態、すなわち伸長トレイ３０を引出トレイ２０に収納した状態では、伸張トレイ３０の基端側の端縁３０ａは、引出トレイ２０の凸部２３ａの下方に位置している。このとき、伸張トレイ３０は、引出トレイ２０のスライド支持部２１ａ、２１ｂ、２１ｃによりバランスを保って支持されている。
【００２３】
この状態から、図３（ｂ）に示すように、伸長トレイ３０を引出トレイ２０から引出していくと、伸張トレイ３０の基端側の端縁３０ａは、引出トレイ２０の凸部２３ａの下方位置から外れて、引出トレイ２０の段差２０ｂの下方に位置する。このとき、伸張トレイ３０の自重によって、又は、伸張トレイ３０の先端側に下向き（図示Ｚ方向と反対方向）に力が加えられて、伸張トレイ３０が引出トレイ２０のスライド支持部２１ｃを支点（図示Ｐ点）として傾き、伸張トレイ３０の基端側の端縁３０ａが上方向に移動したとしても、伸張トレイ３０が引出トレイ２０の凸部２３ｂに接触（図示Ｑ点で接触）することにより、伸張トレイ３０の基端側の端縁３０ａが段差２０ｂへ接触することが防がれる。すなわち、伸張トレイ３０の基端側の端縁３０ａは、引出トレイ２０の段差２０ｂに接触することがない。
【００２４】
さらに、図３（ｃ）に示すように、伸長トレイ３０を引出していくと、伸張トレイ３０の基端側の端縁３０ａは、引出トレイ２０の段差２０ｂの下方を移動していく。この間、伸張トレイ３０の基端側の端縁３０ａは、上記と同様に、引出トレイ２０の段差２０ｂに接触することがない。
【００２５】
さらに、図３（ｄ）に示すように、伸長トレイ３０を最後まで、すなわちストッパ３１が係止部２２に係止されるまで引出すと、伸張トレイ３０の基端側の端縁３０ａは、引出トレイ２０の凸部２３ｂの下方に位置する。このとき、伸張トレイ３０は、自重によってスライド支持部２１ｃを支点（図示Ｐ点）として傾き、伸張トレイ３０の基端側の端縁３０ａが引出トレイ２０の凸部２３ｂに接触（図示Ｒ点で接触）した状態に支持される。このように、伸張トレイ３０の基端側の端縁３０ａは、伸長トレイ３０を引出トレイ２０から引出すときに、引出トレイ２０の段差２０ｂに接触することがない。
【００２６】
また、図３（ｄ）に示す状態から伸長トレイ３０を引出トレイ２０に差し込んでいくと、上記と逆の動作により、すなわち上記各状態を逆に経由して、伸長トレイ３０が引出トレイ２０に収納される。従って、伸張トレイ３０の基端側の端縁３０ａは、伸長トレイ３０を引出トレイ２０に収納するときにも、引出トレイ２０の段差２０ｂに接触することがない。
【００２７】
伸張トレイ３０を引出トレイ２０に対して引出し及び収納する開閉試験（１０００回）を行った結果、伸張トレイ３０は、段差２０ｂの影響を受けることなく、凸部２３ａ、２３ｂとスライド支持部２１ａ、２１ｂ、２１ｃとの間をスムーズに動かすことができた。
【００２８】
上記構成の排紙トレイ７によれば、引出トレイ２０は段差２０ｂよりも突出する凸部２３ａ、２３ｂを有しているため、伸張トレイ３０は、引出トレイ２０の段差２０ｂを避けて、引出トレイ２０の凸部２３ａ、２３ｂとスライド支持部２１ａ、２１ｂ、２１ｃとの間をスライドすることになり、引出し及び収納するときに引出トレイ２０の段差２０ｂに接触することがない。これにより、従来のように伸張トレイ３０が引出トレイ２０の段差２０ｂに接触することによる樹脂の粉の発生を防止でき、デザイン性を向上できると共に、従来のように伸張トレイ３０が引出トレイ２０の段差２０ｂに接触することによる伸張トレイ３０の移動抵抗をなくすことができ、伸張トレイ３０をスムーズに引出し及び収納することができる。
【００２９】
しかも、引出トレイ２０の凸部２３ａ、２３ｂが伸長トレイ３０のスライド方向に柱状に細長く伸びているため、伸張トレイ３０が引出トレイ２０の凸部２３ａ、２３ｂに接触したとしても、伸張トレイ３０と引出トレイ２０の凸部２３ａ、２３ｂとの摩擦力は小さい。これにより、伸張トレイ３０が引出トレイ２０の凸部２３ａ、２３ｂに接触することによる伸張トレイ３０の移動抵抗を少なくすることができ、伸張トレイ３０をより一層スムーズに引出し及び収納することができる。
【００３０】
なお、本発明は、上記実施形態の構成に限られず、種々の変形が可能である。例えば、引出トレイ２０は、引出トレイ２０の下面側にて伸張トレイ３０を支持するものに限られず、引出トレイ２０の上面側にて伸張トレイ３０を支持するものであってもよい。引出トレイ２０の凸部２３ａ、２３ｂは、伸張トレイ３０が引出トレイ２０の段差２０ｂに接触することを防止できればよく、伸長トレイ３０のスライド方向に柱状に細長く伸びているものに限られず、どのような形状であってもよく、また、伸長トレイ３０の側端に対向する箇所に限られず、どの箇所に形成されていてもよい。
【図面の簡単な説明】
【００３１】
【図１】（ａ）は本発明の一実施形態に係るプリンタの概略構成を示す排紙トレイ収納状態の斜視図、（ｂ）は同排紙トレイの引出トレイを引出した状態の部分斜視図、（ｃ）は同排紙トレイの引出トレイ及び伸長トレイを引出した状態の部分斜視図。
【図２】（ａ）は同プリンタの排紙トレイの構成を示す排紙トレイをプリンタから取外した状態での下面側から見た斜視図、（ｂ）は同部分拡大した斜視図。
【図３】同排紙トレイの図２（ｂ）のＡ−Ａ線断面に相当する図であり、（ａ）は伸長トレイを引出トレイに収納した状態の断面図、（ｂ）は同伸長トレイを引出トレイから引出す途中の断面図、（ｃ）は同伸長トレイを引出トレイからさらに引出す途中の断面図、（ｄ）は同伸長トレイを引出トレイから引出した状態での断面図。
【符号の説明】
【００３２】
１    プリンタ
２    用紙
３    ペーパレスト
４    給紙ローラ
５    フィードローラ
６    記録ヘッド
７    排紙トレイ
８    外装ケース
１１    給紙口
１２    排紙口
２０    引出トレイ
２０ａ    引出トレイの下面
２０ｂ    段差
２１ａ、２１ｂ、２１ｃ    スライド支持部
２２    係止部
２３ａ、２３ｂ    凸部
３０    伸長トレイ
３１    ストッパ
【図１】
2006182542.tif 000003
【図２】
2006182542.tif 000004
【図３】
2006182542.tif 000005